(57)【特許請求の範囲】
【請求項１】
海中から引き上げた被洗浄物を筐体の入り口から筐体内に引き込んで洗浄し、洗浄済後に筐体の出口から送り出す漁業用洗浄装置において、
一つの筐体内に引き込み体と、入り口側洗浄具と、通路側洗浄具と、出口側洗浄具があり、
引き込み体は搬送体と押し具を備え、搬送体は網状走行体を回転可能とした回転コンベア式であり、押し具は網状走行体を回転可能とした回転コンベア式であり、
搬送体と押し具は上下に対向配置されて、搬送体と押し具の間に被洗浄物が通過可能な通路があり、搬送体と押し具の回転により海中から引き上げられる被洗浄物を、前記入り口から前記通路内に引き込んで出口側に送り出し可能であり、
入り口側洗浄具は筐体内の入り口側に、通路側洗浄具は引き込み体の上下に、出口側洗浄具は筐体内の出口側にあり、
入り口側洗浄具は高圧洗浄液の噴射により、筐体の入り口側の雑物を除去、洗浄することができ、
通路側洗浄具は搬送体側洗浄具と押し具側洗浄具を備え、搬送体側洗浄具は前記通路内を通過する被洗浄物に高圧洗浄液を噴射して被洗浄物を搬送体側から洗浄することができ、押し具側洗浄具は前記通路内を通過する被洗浄物に高圧洗浄液を噴射して被洗浄物を押し具側から洗浄することができ、
出口側洗浄具は高圧洗浄液の噴射により、筐体の出口側の雑物を除去、洗浄することができる、
ことを特徴とする漁業用洗浄装置。
【請求項２】
請求項１記載の漁業用洗浄装置において、
搬送体側洗浄具を搬送体の網状走行体の上走行部と下走行部の内側に設けて、搬送体側洗浄具から噴射される高圧洗浄液が、通路内を通過する被洗浄物に向けて噴射されるようにし、
押し具側洗浄具を押し具の網状走行体の上走行部と下走行部の内側に設けて、押し具側洗浄具から噴射される高圧洗浄液が、通路内を通過する被洗浄物に向けて噴射されるようにした、
ことを特徴とする漁業用洗浄装置。
【請求項３】
請求項１又は請求項２記載の漁業用洗浄装置において、
入り口側洗浄具と通路側洗浄具と出口側洗浄具への給水を切替え可能な切替え弁を備え、
前記切替え弁は、入り口側洗浄具と通路側洗浄具と出口側洗浄具のうちの二以上の洗浄具から同時に又は任意の順番で、高圧洗浄液を噴射できるように自動又は手動で切替え操作可能である、
ことを特徴とする漁業用洗浄装置。
【発明の詳細な説明】
【技術分野】
【０００１】
本願発明は、帆立貝、あこや貝、牡蠣といった貝類を海中に吊下げて吊下げ養殖する場合の貝付きロープ、昆布や他の海産物（これらをまとめて「被洗浄物」という。）を海中から引き上げて洗浄するのに適する漁業用洗浄装置に関するものである。
【背景技術】
【０００２】
貝類はロープに差し込んだ樹脂製の係止ピンやテグスに係止し、その貝類をロープごと海中に吊下げて養殖する吊下げ養殖（帆立貝の養殖では「耳吊り養殖」といわれている。）されることがある。
【０００３】
吊下げ養殖では、貝類を海中に吊しておく間に、貝及びロープの表面にザラボヤ、ムラサキイガイ、海藻、その他海中の生物や塵芥等（以下これらを「雑物」という。）が大量に付着する。雑物が付着すると貝の成長に好ましくないばかりでなく、体裁が悪く、出荷時に問題となるため、養殖の途中で貝を海から引上げて洗浄したり、出荷前に海から引上げて洗浄したりしているのが現状である。
【０００４】
本件出願人は、本願に先立って吊下げ養殖中の貝類を、海中から引き上げて洗浄する洗浄装置を特許出願している（特許文献１）。この特許出願に係る洗浄装置は貝付きロープを海中から引き上げて洗浄装置内に引き込み、洗浄装置の通路を通過する間に貝類とロープの汚れを高圧洗浄液で洗浄して除去するものである。
【先行技術文献】
【特許文献】
【０００５】
【特許文献１】特開２００１−１９１０４１号公報
【発明の概要】
【発明が解決しようとする課題】
【０００６】
貝類を係止して海中に吊下げられた８ｍｍ径のロープの場合、その長さと、取り付ける貝の枚数にもよるが、例えば、海中に投入後半年程度で貝及びロープに雑物が大量に付着して、見かけ上１００ｍｍ前後の径となり、その重量も１本当たり数十ｋｇにもなることがある。このような重さになるほど雑物が付着した貝付きロープを引き上げると、雑物が洗浄装置の筐体内の入り口付近に付着したり、絡まったり詰まったりして（以下「詰まって」という。）、洗浄装置の回転が停止し、引き込みが止まってしまうこともある。この場合は洗浄装置での引上げを停止して、詰まった雑物を除去しなければならないという面倒があり、作業能率も低下する。
【０００７】
本願発明の課題は、養殖・天然物、特に、昆布等のように長い海産物や、雑物が大量に付着している貝付きロープ等の被洗浄物を海中から引き上げて洗浄装置で洗浄するときに、引き込み体の入り口に雑物が詰まらないようにし、詰まったときは雑物を自動的に除去できる漁業用洗浄装置を提供することにある。
【課題を解決するための手段】
【０００８】
本願発明の漁業用洗浄装置は、海中から引き上げられる被洗浄物を引き込み可能な引き込み体と、引き込み体で引き込み中の被洗浄物を洗浄可能な高圧洗浄具が筐体内に設けられた漁業用洗浄装置において、引き込み体は搬送体と押し具が上下に対向配置されて、搬送体と押し具の間に被洗浄物が通過可能な通路が形成され、高圧洗浄具は少なくとも引き込み体の入り口側に設けられた入り口側洗浄具（噴射部）を備え、入り口側洗浄具は高圧洗浄液の噴射により、少なくとも、引き込み体の入り口側に詰まった雑物を、除去、洗浄できるようにしたものである。入り口側洗浄具は回転式でも、固定式でもよい。搬送体は網状走行体を回転可能に備えた回転コンベア式であってもよい。押し具は網状走行体を回転可能に備えた回転コンベア式又は非回転式であってもよい。押し具は二本以上の細長材を配列した櫛状のもの、その他の形状、構造であってもよい。
【０００９】
前記入り口側洗浄具は、筐体内に付着した雑物をも除去できるように、筐体内で高圧液体を噴射可能なものである。入り口側洗浄具はケース内であって、引き込み体の入り口側に、被洗浄物の引き込み方向に二以上設けることができる。
【００１０】
本願発明の漁業用洗浄装置は、前記入り口側洗浄具のほかに、引き込み体の通路側に通路側洗浄具も備えたものであってもよい。通路側洗浄具は引き込み体の通路を移動中の被洗浄物に高圧洗浄液を噴射して雑物を除去できるものである。通路側洗浄具はコンベア式の搬送体の網状走行体の内側に設けた搬送体側洗浄具と、コンベア式の押し具の網状走行体の内側に配置した押し具側洗浄具を備え、搬送体側洗浄具は搬送体の網状走行体の上走行部を通過して通路内を通過する被洗浄物に高圧洗浄液を噴射できるように、搬送体の網状走行体の上走行部と下走行部の間に設けられ、押し具側洗浄具は押し具の網状走行体の下走行部を通過して通路内を通過する被洗浄物に高圧洗浄液を噴射できるように、押し具の網状走行体の下走行部と上走行部の間に設けたものが望ましい。
【００１１】
本願発明の漁業用洗浄装置は、前記入り口側洗浄具のほかに、筐体内の出口側に出口側洗浄具をも設けて、この出口側洗浄具によって、少なくとも筐体内の出口側に付着している汚れを洗浄することもできる。この出口側洗浄具も筐体内で高圧洗浄液を噴射可能なものであり、回転式でも固定式でもよい。出口側洗浄具は筐体内であって筐体の出口側に上下に設けることも、被洗浄物の走行方向二以上の箇所に設けることができる。本願発明では、入り口側洗浄具と、通路側洗浄具と、出口側洗浄具の三者を備えたものであってもよい。
【００１２】
本願発明の漁業用洗浄装置は、入り口側洗浄具、通路側洗浄具への給水を切替え可能な切替え弁の操作によって、高圧洗浄液を両洗浄具から同時に又は交互に或いは任意の順番で噴射できるように自動又は手動で切替え可能とすることができる。
【００１３】
本願発明の漁業用洗浄装置は、入り口側洗浄具、通路側洗浄具、出口側洗浄具への給水を切替え可能な切替え弁の操作によって、高圧洗浄液をそれら洗浄具から同時に或いは任意の順番で噴射できるように自動又は手動で切替え可能とすることができる。
【発明の効果】
【００１４】
本願発明の漁業用洗浄装置は次のような効果がある。
（１）引き込み体の入り口側に、入り口側洗浄具が設けられているので、引き込み体の入り口側に詰まった雑物を自動的に除去することができる。このため、一々、洗浄装置を停止させて、詰まった雑物を除去する面倒がなく、作業能率の低減を防止できる。
（２）入り口側洗浄具として、二以上の洗浄具を設ければ、引き込み体の入り口側に詰まった雑物を効率よく除去することができる。
（３）通路側洗浄具も設ければ、入り口側と通路側の双方で洗浄できるので洗浄効果が高まる。出口側洗浄具をも設ければ、筐体内の出口側の洗浄もできる。高圧洗浄具を筐体の内面に向けて配置すれば、筐体の内面に付着した雑物も除去、洗浄することができる。
（４）入り口側洗浄具と、通路側洗浄具と、出口側洗浄具の三者を設ければ、洗浄効果がより一層向上する。
【図面の簡単な説明】
【００１５】
【図１】（ａ）は本願発明の漁業用洗浄装置の一例を示す断面図、（ｂ）はその洗浄装置の外観図。
【図２】（ａ）は本願発明の漁業用洗浄装置の一例を示す分解説明図、（ｂ）は本願発明の漁業用洗浄装置の他例を示す概要説明図。
【図３】（ａ）は本願発明における漁業用回転体に巻付けられる網状走行体の一例を示す平面図、（ｂ）は網状走行体の部分斜視図。
【図４】（ａ）〜（ｃ）は本願発明の漁業用洗浄装置による洗浄時の貝と押し具の説明図。
【図５】（ａ）は櫛型押し具を備えた漁業用洗浄装置を示す説明図、（ｂ）は上下に搬送体を備えた漁業用洗浄装置を示す説明図。
【図６】本願発明の洗浄装置における洗浄済み貝付きロープの送り出し部分の説明図。
【図７】本願発明の洗浄装置における高圧洗浄具の一例を示すもので、（ａ）は正面図、（ｂ）は側面図。
【発明を実施するための形態】
【００１６】
［洗浄装置の概要］
本願発明の漁業用洗浄装置（以下「洗浄装置」という。）の第１の実施形態を図面に基づいて説明する。本願発明の洗浄装置は海中から引き上げた昆布や他の海産物の洗浄にも利用できるものであるが、図示した洗浄装置は吊下げ養殖の貝付きロープＬを洗浄する場合の実施形態である。
【００１７】
吊下げ養殖とは、吊下げロープ（縦ロープ）３に間隔をあけて差し込んだ係止ピン５や吊下げロープ３に結んだテグスを、貝類４に開けた孔に通して貝類４を係止し、吊下げロープ３を海中に吊下げることにより貝類４を海中に吊るして養殖する方法である。
【００１８】
図１（ａ）は漁業用回転体１を備えた洗浄装置２を示す断面図である。この洗浄装置２は船上に設置して、海中から引き上げた貝付きロープ（貝類４が係止されている吊下げロープ３）Ｌに付着している前記雑物を除去すると共に貝付きロープＬの汚れを除去して洗浄する（以下「洗浄」という。）ものである。
【００１９】
（洗浄装置の実施形態１）
一例として図１（ａ）（ｂ）に示す洗浄装置２は、筐体１４内に、貝付きロープＬを引き込みながら入り口Ｂ側から出口Ｄ側に搬送する引き込み体Ａを備える。引き込み体Ａは網状走行体が回転する無端コンベア式の搬送体６の上方に、網状走行体が回転する無端コンベア式の押し具７が対向配置されて、搬送体６と押し具７の間に貝付きロープＬが通過可能な通路８が形成されている。
【００２０】
図２（ａ）（ｂ）、図４（ａ）〜（ｃ）に示すように、筐体１４内に、搬送体６の入り口側下方と押し具７の入り口（引き込み体Ａの入り口）Ｂ側に入り口側洗浄具４４が設けられ、通路８の途中であって、搬送体６の下方と押し具７の上方に通路側洗浄具１３が対向配置され、出口（引き込み体Ａの出口）Ｄ側に出口側洗浄具４５が上下に配置されている。入り口側洗浄具４４は引き込み体Ａの入り口Ｂ（図４（ａ）〜（ｃ））付近に高圧洗浄液を噴射して、入り口Ｂ付近に付着した或いは詰まった雑物を洗浄するものである。通路側洗浄具１３は通路８に向けて高圧洗浄液を噴射して通路８内を通過（移動）する貝付きロープＬを洗浄するものである。
【００２１】
［貝付きロープの引き上げ］
海中に向けて鉛直方向に吊り下げられている貝付きロープＬを引き上げる際は、船の上に洗浄装置２を設置し、漁業用回転体１を船の側面に取り付けて海上に突き出させ、漁業用回転体１の外周に貝付きロープＬを掛け、漁業用回転体１の回転により、又は別途設けた引き上げ具で引き上げると共に漁業用回転体１を回転させて、貝付きロープＬを鉛直方向から水平方向へ方向転換して海中から連続的に引き上げる。
【００２２】
［搬送体］
搬送体６は図２（ａ）に示すように搬送体駆動機構の外周に金属製の網状走行体２２ａ（図３（ａ））を巻き付けて、当該網状走行体２２ａが搬送体駆動機構により回転可能とした無端コンベア式である。搬送体駆動機構は駆動軸２３の軸方向両端寄りと中央に駆動スプロケット９ａが固定された駆動回転体と、従動軸２４の軸方向両端寄りと中央に従動スプロケット９ｂが回転可能に取り付けられた従動回転体と、これら両回転体の間に配置された走行体ガイド２５とから構成されている。走行体ガイド２５は底板のない長方形の箱状であり、上板の中央部に開口部が設けられている。前記網状走行体２２ａには図３（ａ）に示す網状走行体を使用するのが望ましい。
【００２３】
網状走行体２２ａの下にはローラ状の底面支持具１１を配置して網状走行体２２ａの底面を上方に押し上げて網状走行体２２ａに張りをもたせる（テンションを付与する）と共に当該底面が下方へ垂れ下がるのを防止してある。
【００２４】
搬送体６は、駆動スプロケット９ａをモータ等の駆動源により回転させると駆動軸２３が回転し、駆動軸２３と共に駆動スプロケット９ａも回転し、その回転に伴って従動軸２４が回転し、網状走行体２２ａが駆動スプロケット９ａと走行体ガイド２５と従動スプロケット９ｂの外周を走行回転するようにしてある。
【００２５】
搬送体６は図１（ｂ）のように筐体１４内に収容されている。この場合、図２（ａ）の駆動軸２３を筐体１４内の下部前方に回転可能に取り付け、従動軸２４を同筐体１４内の下部後方に固定する。走行体ガイド２５は筐体１４内の下部で且つ前記駆動軸２３と従動軸２４との間にビスやボルト、ナット等の止め具により支持されている。
【００２６】
［押し具］
図１（ａ）、図２（ａ）（ｂ）の押し具７は押し具駆動機構の外周に金属製の網状走行体２２ｂ（図３（ａ））を巻き付けて回転可能としてある。その駆動機構は図４（ａ）〜（ｃ）に示すように、駆動軸３１に駆動スプロケット７ａが取り付けられ、前方従動軸１２ａに前方従動スプロケット７ｂが回転可能に取り付けられた前方駆動回転体と、後方従動軸１２ｂに後方従動スプロケット７ｃが回転可能に取り付けられた後方従動回転体とが、二枚平行に配置されている側板３０（図２（ａ））間に回転可能に取り付けられている。二枚の平行な側板３０間には補強材が渡されている。前記網状走行体２２ｂにも図３（ａ）に示す網状走行体を使用することができる。網状走行体２２ｂの上走行部２２ｃ（図４（ａ）〜（ｃ））は押しローラ３９により屈曲部４０側に押されている。押し具７は入り口Ｂ側が持ち上がって、貝付きロープＬを搬送体６との間の通路８に引き込み易くしてある。
【００２７】
図２（ａ）（ｂ）の押し具７は、前記駆動軸３１に連結された駆動スプロケット７ａがモータ等の駆動源により回転駆動されると網状走行体２２ｂが回転し、それにつれて、図４（ａ）に示す前記前方従動スプロケット７ｂ及び後方従動スプロケット７ｃが回転し、網状走行体２２ｂが連続回転する。押し具７も図１（ａ）に示すように筐体１４内に収容されている。この場合も、駆動軸３１（図２（ａ））を筐体１４（図１（ｂ））内の上部前方に回転可能に取り付け、前方従動軸１２ａ、後方従動軸１２ｂ、押しローラ軸１２ｃ（図４（ａ）〜（ｃ））は筐体１４（図１（ｂ））内の上部後方に支持されている。
【００２８】
［網状走行体］
搬送体６の網状走行体２２ａ、押し具７の網状走行体２２ｂは、共に、細長板１９ａ（図３（ｂ））をコの字形に曲げて波の山部分１８ａと波の谷部分１８ｂが繰り返し形成された多数本の波板２０が、波の山部分１８ａ同士、波の谷部分１８ｂ同士を位置合わせして配列されている。更に、図３（ｂ）に示すように、山側には上挿入孔２０ｂが、谷側には下挿入孔２０ｃがそれぞれ設けられ、上側に配置された波板２０の下挿入孔２０ｃと、下側に配置された波板２０の上挿入孔２０ｂが重ねられて、下挿入孔２０ｃと上挿入孔２０ｂに連結軸２１を差込んで、上下に配置された波板２０が回転自由に連結されて網状になっている。網状走行体２２ａ、２２ｂを構成する波板２０及び連結軸２１は金属製や樹脂製等とすることができるが、金属製とする場合は海中使用するため防錆加工を施すかステンレス製とすることが望ましい。前記細長板１９ａ（図３（ｂ））は貝付きロープＬの滑り止め突起となり、波の山部分１８ａと波の谷部分１８ｂで囲まれた空間部１８ｃは貝付きロープＬが弛んで落ち込む滑り止め空間となる。図３（ａ）の網状走行体２２ａ、２２ｂの形状はほぼ矩形であるが、半円形、三角形、五角形などの任意の形状であってもよい。
【００２９】
図３（ａ）に示す網状走行体２２ａ、２２ｂは細長板１９ａを曲げた波板２０を使用してあるが、本願発明の網状走行体２２ａ、２２ｂは他の構造、形状のものであってもよく、短い細板を組み合わせて図３（ａ）に示す波板２０にし、その繰り返しにより網状に組み立てたものとか、汎用の金属製金網であってもよい。
【００３０】
［押し具の他例］
図２（ａ）の押し具７は引き込み体Ａの通路８内に貝付きロープＬが引き込まれると、それに伴って回転するようにしてあるが、押し具７は自らが回転駆動体を備え、この回転駆動体の回転により網状走行体２２ｂが常時回転し、その回転によって貝付きロープＬを引き込み可能なものであってもよい。押し具７は図５（ａ）に示すように、細長材を二本以上並べて連結した櫛型押し具Ｆとすることもできる。
【００３１】
［入り口側洗浄具］
図１（ａ）、図２（ａ）に示す入り口側洗浄具４４は引き込み体Ａの入り口Ｂ付近に配置してあり、引き込み体Ａの入り口Ｂ付近に高圧洗浄液を噴射して、引き込み体Ａの入り口Ｂ付近に付着したり詰まったりしている雑物を除去、洗浄できるものである。入り口側洗浄具４４は回転式であっても、非回転式であってもよく、形状、構造等は通路側洗浄具１３と同じものであっても異なるものであってもよい。回転式の場合はモータ、その他の回転駆動機構で強制回転させるものであってもよく、高圧洗浄液を噴射することによる反力で自動的に回転するものであってもよい。できれば入り口Ｂ付近全般に万遍なく高圧洗浄液を噴射できるようにして、それら入り口Ｂに雑物が詰まるのを防止でき、詰まった雑物を除去できるものが望ましい。
【００３２】
入り口側洗浄具４４は、図２（ｂ）に示すように引き込み体Ａによる被洗浄物引き込み方向に二列に配置することもできる。入り口側洗浄具４４は高圧洗浄機（装置）から圧送される高圧洗浄液を噴射する。入り口側洗浄具４４は回転機構で回転させてもよく、高圧洗浄機（装置）から圧送される高圧洗浄液を噴射することにより自動的に回転する自動回転式であってもよいも。自動回転式の場合は、例えば、図７（ａ）（ｂ）に示すように、パイプＰを回転ベアリングＢａで支持し、ロータリージョイントＲを介して高圧ポンプ（図示せず）に連結し、パイプＰの軸方向数箇所にノズルＮを取り付け、それらノズルＮの向きをパイプＰの軸方向にずらして配置して、高圧ポンプからパイプＰに供給される高圧液体を各ノズルＮから順次切り替え噴射することにより、その反力で自動的に回転するようにすることもできる。
【００３３】
［通路側洗浄具］
図１（ａ）、図２（ａ）（ｂ）に示す通路側洗浄具１３は搬送体６と押し具７との間の通路８を通過する貝付きロープＬに高圧洗浄液を噴射して洗浄するものであり、搬送体６の外側下方と押し具７の外側上方とに対向配置してある。この通路側洗浄具１３は回転可能なロータリージョイントに連結された給水パイプ１３ａから四本の分岐パイプ１３ｂが分岐され、その先端に噴射ノズルが取り付けられており、給水パイプ１３ａが回転すると分岐パイプ１３ｂ及び噴射ノズルが回転して、被洗浄物に万遍なく洗浄液が高圧で噴射されるようにしてある。分岐パイプ１３ｂの本数は四本以上であっても以下であってもよい。通路側洗浄具１３は貝付きロープＬを洗浄できれば、図５（ａ）のように網状走行体２２ａの上走行部２２ｅを挟んで上下に配置するとか、図５（ｂ）のように搬送体６の網状走行体２２ａの内側と、押し具７の網状走行体２２ｂの内側に配置することもできる。このようにすると、下の通路側洗浄具（搬送体側洗浄具）１３から噴射される高圧洗浄液が、搬送体６の網状走行体２２ａの上走行部２２ｅにしか邪魔されずに通路８内を通過する被洗浄物に噴射でき、上の通路側洗浄具（押し具側洗浄具）１３から噴射される高圧洗浄液が、押し具７の網状走行体２２ｂの下走行部２２ｄにしか邪魔されずに通路８内を通過する被洗浄物に噴射できるので、図２（ｂ）のように搬送体６の下と、押し具７の上に配置した場合よりも雑物を除去、洗浄し易くなる。洗浄具（噴射ノズル）は搬送体６、押し具７の幅方向に一列に数個配置するとか回転式、あるいは他の形状、構造とすることができる。
【００３４】
［出口側洗浄具］
本願発明では、筐体１４内に出口側洗浄具４５（図１）を設けることもできる。出口側洗浄具４５は引き込み体Ａの出口Ｄ側に詰まった雑物を除去、洗浄し、必要に応じて、筐体１４内の出口側に付着している雑物を除去、洗浄できるものである。この洗浄具４５も回転式望ましい。その個数は出口側の雑物を除去、洗浄するのに必要な数とする。
【００３５】
入り口側洗浄具４４、通路側洗浄具１３、出口側洗浄具４５から噴射される洗浄液は、引き込み体Ａに詰まった雑物を除去、洗浄でき、筐体１４の内部の雑物を除去、洗浄できる高圧とする。入り口側洗浄機４４、通路側洗浄具１３、出口側洗浄具４５は電磁式の自動切替え弁又は手動切替え弁（図示しない）の切替え操作により、高圧洗浄液を前記洗浄具４４、１３、４５から同時に、又は順番に、又は任意の順序で噴射できるように切替え可能とすることができる。
【００３６】
［筐体］
筐体１４（図１（ｂ））の下方部分は筐体１４内で洗浄した洗浄液や貝付きロープＬから落下した雑物を回収する回収容器を兼ねており、筐体１４の底部から排出路１５を外部に突設して、それに排水用のホースを接続して、洗浄除去された汚れや通路側洗浄具１３から噴射された洗浄液がその排出路１５から排水ホース内を通って外部に排出されるようにしてある。
【００３７】
図１（ａ）（ｂ）に示すように、筐体１４には貝付きロープＬを導入するための入り口３４と、貝付きロープＬを送り出す出口３５とが開口されており、更に、筐体１４の側面には側面導入口３３が開口され、それが筐体１４の入り口３４と出口３５に連通している。側面導入口３３は貝付きロープＬを筐体１４の側面（横）から搬送体６と押し具７との間の通路８（図２（ａ））に出し入れするためのものである。この側面導入口３３があると貝付きロープＬを洗浄作業の前に側面導入口３３から横移動させて前記通路８内に出し入れすることができるため、貝付きロープＬを一々入り口３４から出口３５に通す必要がなく、洗浄作業開始前の貝付きロープＬの通路８内へのセッティングが容易になる。図１（ｂ）に示すように、側面導入口３３の外側には多数本の樹脂製の繊維状のカーテン材を縦に配列した洗浄液飛散防止具３６を設けて、通路側洗浄具１３から高圧噴射される洗浄液が側面導入口から外側に飛散しないようにしてある。この洗浄液飛散防止具３６は貝付きロープＬを側面導入口３３の外側から筐体１４内に横スライドさせて引き込むときに内側に曲がって貝付きロープＬがスムースに引き込まれ、引き込んだ後に自動的に復帰できる可撓性と復元性を備えたものが好ましい。図１（ｂ）の洗浄液飛散防止具３６はそれ以外の形状、構造であってもよい。例えばゴムシートや金属板などであってもよく、金属板の場合は貝付きロープＬを側面導入口３３の外から筐体１４内に横スライドさせて引き込むと上昇して貝付きロープＬがスムースに筐体１４内に入り、引き込み後は降下するようにしてもよい。この逆移動であってもよい。洗浄液飛散防止具３６は場合によって外すこともできる。側面導入口３３は、船への設置位置により筐体１４の左右いずれの面に設けることもできる。
【００３８】
［出口側案内体］
図２（ａ）に示すように、搬送体６と押し具７の間の通路８の出口Ｄよりも外側には、出口Ｄから送り出される貝付きロープＬを案内する出口側案内体２６が配置されている。この出口側案内体２６はポール状の横案内体２６ａとポール状の縦案内体２６ｂとからなり、縦案内体２６ｂは樋状のシュータ２６ｃの上に立設されている。この縦案内体２６ｂはシュータ２６ｃに回転可能に取り付けてもよく、回転しないように固定してもよい。シュータ２６ｃは先端側を下り傾斜にしてある。通路８の出口Ｄとシュータ２６ｃとの間には回収受け具２６ｄを配置してある、この回収受け具２６ｄは洗浄中に吊下げロープ３から外れた貝類４が通路８の出口Ｄから落下する位置に配置して、その貝類４を回収できるようにしてある。この回収受け具２６ｄも樋状であり、先端に向けて下り傾斜にして、回収された貝類４が自重で自動的に先端方向に落下して、その先に配置してある回収篭に落下して回収されるようにしてある。これらの出口側案内体２６、シュータ２６ｃ、回収受け具２６ｄも筐体１４に取り付けられている。この場合、出口側案内体２６、シュータ２６ｃ、回収受け具２６ｄは筐体１４の出口３５よりも外側先方に取り付けて、洗浄装置２を船上に搭載固定したときに、シュータ２６ｃの出口が海上に突出するようにしてある。出口側案内体２６は横案内体２６ａと縦案内体２６ｂのいずれか一方だけであってもよい。横案内体２６ａ、縦案内体２６ｂの取り付け箇所は、それらの機能が発揮される任意の位置に取り付けることができる。
【００３９】
前記横案内体２６ａや縦案内体２６ｂには前記した漁業用回転体１から鍔１７を取り外し、胴体１６の外径を細くしたものを縦向きにして使用することもできる。
【００４０】
図２（ａ）の出口側案内体２６は図６に示すようにすることもできる。この出口側案内体２６は縦案内体２６ｂを樋状のシュータ２６ｃの上に立設固定してある。この出口側案内体２６は上端部外周面に溝２６ｅが形成されており、この溝２６ｅにベルト３８を掛けてモータ等の駆動体からの動力により回転させることができるようにしてある。ベルトに代えてギアの噛み合いで回転させることもできる。シュータ２６ｃにはその底板を下方に折り曲げて回収口３７を形成して、洗浄中に貝付きロープＬから外れた貝類４がこの回収口３７から自重で落下し、その下に配置してある回収篭に回収されるようにしてある。出口側案内体２６、シュータ２６ｃは筐体１４の内側に取り付けることも外側に取り付けることもできる。外側に取り付ける場合は筐体１４の出口３５（図１（ａ））よりも外側に取り付けて、洗浄装置２を船上に搭載固定したときにシュータ２６ｃの出口が海上に突出して、シュータ２６ｃから送り出される貝付きロープＬが海中に投入されるようにするのがよい。
【００４１】
［漁業用回転体の例１］
図１（ａ）に示す漁業用回転体１はドラム形であり、筐体１４を船上に搭載すると船の側面から海上に突出して、海中の貝付きロープＬを引き上げ易くするのがよい。漁業用回転体１は筐体１４に取り付けずに、筐体１４と別にして船の側壁に取り付けることもできる。いずれの場合も漁業用回転体１の回転速度は搬送体６の走行回転速度と同期させて、漁業用回転体１の回転により海中から引上げられる貝付きロープＬが引き込み体Ａの入り口Ｂにスムースに送り込まれるようにする。漁業用回転体１と搬送体６との回転が同期せずに、漁業用回転体１の回転速度が搬送体６の走行回転速度よりも速過ぎると貝付きロープＬの送り込み量が多くなって貝付きロープＬが搬送体６の手前に溜って絡まり、逆に、漁業用回転体１の回転速度が搬送体６の走行回転速度よりも遅過ぎると、搬送体６による貝付きロープＬの引き込みが速くなり過ぎてロープが切れるおそれがある。搬送体６と漁業用回転体１とを同期回転させるためには共通の駆動源で回転させるようにすればよい。
【００４２】
漁業用回転体１は胴体１６の外周面に滑り止めを備えて、海中から引き上げる貝付きロープＬが滑りにくくしたものが望ましい。漁業用回転体１はその中心軸を回転軸として図２（ａ）の矢印Ｙ方向に回転可能であり、貝付きロープＬの引き上げに伴ってその引き上げ力で自由回転する構造とすることも、モータなどの駆動装置を備えて強制回転させる構造とすることもできる。漁業用回転体１自身が回転する構造とした場合は、その回転を搬送体６（図２（ａ））の駆動スプロケット９ａの回転と同期回転させると、漁業用回転体１で引き上げられた貝付きロープＬが、搬送体６と押し具７の間の通路８内にスムースに引き込まれる。前記滑り止めは任意の形状、構造とすることができる。
【００４３】
（使用例）
前記した実施形態の洗浄装置２を用いて養殖用の貝付きロープＬを引き上げながら洗浄するには例えば次のようにする。
（１）洗浄装置２を船舶に搭載して固定する。
（２）貝付きロープＬの上端部を海中から引き上げて漁業用回転体１の外周に掛ける。
（３）漁業用回転体１の外周に掛けた貝付きロープＬを筐体１４の側面に開口された側面導入口３３（図１（ｂ））から搬送体６と押し具７との間の通路８（図１（ａ））に引き込んでセットする。
（４）モータの駆動により漁業用回転体１、搬送体６、押し具７を同期回転させて、搬送体６と押し具７の間に挟まれている貝付きロープＬを筐体１４の出口３５側に搬送する。搬送体６と押し具７の回転速度をずらしてもよく、ずらすことにより貝付きロープＬにかかる負荷が大きくなって、汚れが落ちやすくなることもある。
（５）前記搬送中に、入り口側洗浄具４４から高圧洗浄液を引き込み体Ａの入り口Ｂ側に噴射して、入り口Ｂ側に付着したり詰まった雑物を除去（排除）し、洗浄する。
（６）上下の通路側洗浄機１３（図２（（ａ）（ｂ））から高圧洗浄液を噴射して貝付きロープＬを上下から洗浄して、貝付きロープＬの貝類４、吊下げロープ３に付着している雑物も除去・洗浄する。
（７）除去・洗浄された貝付きロープＬは、筐体１４の出口３５から送り出され、出口側案内体２６（図６）によりシュータ２６ｃでガイドされて海中に投入される。
（８）前記搬送中或は洗浄中に吊下げロープ３から外れた貝類４は、シュータ２６ｃの底面に設けられた回収口３７から落下してその下方に配置されている籠などの回収容器に回収さる。
（９）洗浄により除去された雑物及び洗浄後の汚水は筐体１４（図１（ｂ））内に落下して自動的に回収され、筐体１４の底の排出路１５（図１（ｂ））から筐体１４の外部に排出され、図示されていないフィルターで濾過する等して処理される。
（１０）前記洗浄において、入り口側洗浄具４４、出口側洗浄具４５及び通路側洗浄具１３は、切替え弁の切り替え操作により、高圧洗浄液を前記洗浄具４４、４５、１３から同時に又は順番に又は任意の順序で噴射できるように切替えることができる。
【００４４】
前記使用例において、押し具７は、貝付きロープＬが通路８を通過しないとき、図４（ａ）のように、ほぼ同じ厚さの貝が押し具７の屈曲部４０と通路８の出口３５側との両方を同時に通過するときは、網状走行体２２ｂの下走行部２２ｄは略水平になっているが、図４（ｂ）に示すように通路８の間隔（上下の間隔）よりも厚い貝付きロープＬが押し具７の屈曲部４０の下を通過すると、屈曲部４０が押し上げられて貝付きロープＬは屈曲部４０の下を円滑に通過する。貝付きロープＬが通路８の出口側に来ると図４（ｃ）のように出口側が押し上げられて貝付きロープＬがその下を円滑に通過する。
【００４５】
前記実施形態は貝付きロープＬを海中から引き上げる場合に付いて説明したが、洗浄済み貝付きロープＬを海中に投入する場合も利用できる。また、貝付きロープＬではなく、昆布とか他の海産物を海中から引き上げる場合も利用できる。
【符号の説明】
【００４６】
１    漁業用回転体
２    洗浄装置
３    吊下げロープ（縦ロープ）
４    貝類
５    係止ピン
６    搬送体
７    押し具
７ａ  （押し具の）駆動スプロケット
７ｂ  （押し具の）前方従動スプロケット
７ｃ  （押し具の）後方従動スプロケット
８    通路
９ａ  （搬送体の）駆動スプロケット
９ｂ  （搬送体の）従動スプロケット
１１    底面支持具
１２ａ  前方従動軸
１２ｂ  後方従動軸
１２ｃ  押しローラ軸
１３    通路側洗浄具（搬送体側洗浄具、押し具側洗浄具）
１３ａ  給水パイプ
１３ｂ  分岐パイプ
１４    筐体
１５    排出路
１６    胴体
１７    鍔
１８ａ  波の山部分（滑り止め突起）
１８ｂ  波の谷部分
１８ｃ  空間部（滑り止め空間）
１９ａ  細長板
２０    波板
２０ｂ  上挿入孔
２０ｃ  下挿入孔
２１    連結軸
２２ａ  （搬送体の）網状走行体
２２ｂ  （押し具の）網状走行体
２２ｃ  （網状走行体２２ｂの）上走行部
２２ｄ  （網状走行体２２ｂの）下走行部
２２ｅ  （網状走行体２２ａの）上走行部
２３    （搬送体６の）駆動軸
２４    （搬送体６の）従動軸
２５    走行体ガイド
２６    出口側案内体
２６ａ  横案内体
２６ｂ  縦案内体
２６ｃ  シュータ
２６ｄ  回収受け具
２６ｅ  溝
３０    側板
３１    駆動軸
３３    側面導入口
３４    （筐体の）入り口
３５    （筐体の）出口
３６    洗浄液飛散防止具
３７    回収口
３８    ベルト
３９    押しローラ
４０    屈曲部
４４    入り口側洗浄具
４５    出口側洗浄具
Ａ      引き込み体
Ｂ      （引き込み体の）入り口
Ｂａ    回転ベアリング
Ｃ      海面
Ｄ      （引き込み体の）出口
Ｆ      櫛型押し具
Ｌ      貝付きロープ
Ｎ      ノズル
Ｐ      パイプ
Ｒ      ロータリージョイント
【図１】
0006534139.tif 000002
【図２】
0006534139.tif 000003
【図３】
0006534139.tif 000004
【図４】
0006534139.tif 000005
【図５】
0006534139.tif 000006
【図６】
0006534139.tif 000007
【図７】
0006534139.tif 000008